(57)【要約】【課題】強力な風圧で雨が吹き付けられる環境下でも、水の浸入を抑制することのできる屋根構造を提供する。【解決手段】本発明の屋根構造は、上側屋根パネル１と下側屋根パネル２を備える。上側屋根パネル１は、上側コンクリート部１１に上側の鉄筋構造１２を埋めた鉄筋コンクリートパネルであり、下端面１３から上側の鉄筋構造１２を突出させる。下側屋根パネル２は、上側コンクリート部２１に上側の鉄筋構造２２を埋めた鉄筋コンクリートパネルであり、上端面２３から上側の鉄筋構造２２を突出させる。上端面２３は、上側屋根パネル１の下端面１３の一部領域１３１に当たる当接面２３１を含む。当接面２３１は、屋外側の端部２３１１よりも高く位置する頂部２３１２を含む。【選択図】図２
2016141954.tif 000002
【特許請求の範囲】
【請求項１】
傾斜した上側屋根パネルと、
前記上側屋根パネルの斜め下方に位置し、前記上側屋根パネルに接合される傾斜した下側屋根パネルと、を備え、
前記上側屋根パネルは、パネル状に成形された上側コンクリート部と、前記上側コンクリート部に埋められた上側の鉄筋構造とを備えた鉄筋コンクリートパネルであり、前記上側コンクリート部は、前記上側の鉄筋構造の一部が斜め下方にむけて突出する下端面を備え、
前記下側屋根パネルは、パネル状に成形された下側コンクリート部と、前記下側コンクリート部に埋められた下側の鉄筋構造とを備えた鉄筋コンクリートパネルであり、前記下側コンクリート部は、前記下側の鉄筋構造の一部が斜め上方にむけて突出する上端面を備え、
前記下側屋根パネルの前記上端面は、前記上側屋根パネルの前記下端面の一部領域に当たる当接面を含み、
前記当接面は、屋外側の端部と、前記屋外側の端部よりも高く位置する頂部を含む、
屋根構造。
【請求項２】
前記上側屋根パネルの前記下端面と、前記下側屋根パネルの前記上端面との間に充填されるモルタル層を、さらに備え、
前記上側の鉄筋構造の一部と、前記下側の鉄筋構造の一部は、前記モルタル層に埋まっている、
請求項１に記載の屋根構造。
【請求項３】
前記モルタル層は、前記下側屋根パネルの前記当接面よりも、屋外側に位置する、
請求項２に記載の屋根構造。
【請求項４】
前記下側屋根パネルの前記上端面は、前記当接面よりも屋外側の部分に、屋外側ほど高さが低くなる水勾配を有する、
請求項３に記載の屋根構造。
【請求項５】
前記モルタル層は、前記下側屋根パネルの前記当接面よりも、屋内側に位置する、
請求項２に記載の屋根構造。
【発明の詳細な説明】
【技術分野】
【０００１】
本発明は、屋根構造に関し、詳しくは、上側屋根パネルと下側屋根パネルとを共に傾斜した姿勢で接合させた屋根構造に関する。
【背景技術】
【０００２】
特許文献１には、鉄筋コンクリート造の複数の床版単体を一体に結合させた屋根床版が、記載されている。屋根床版は、傾斜した姿勢にある。
【先行技術文献】
【特許文献】
【０００３】
【特許文献１】特開２００１−１４０３９５号公報
【発明の概要】
【発明が解決しようとする課題】
【０００４】
上記した従来の屋根床版は、強力な風雨に晒される環境下（例えば、強力な台風に襲われる環境下）では、床版単体同士の接合部分を通じて、屋内側に水が浸入するおそれがあるという、問題を有していた。
【０００５】
本発明が解決しようとする課題は、強力な風圧で雨が吹き付けられる環境下でも、屋内側に水が浸入することを抑制することのできる屋根構造を、提供することにある。
【課題を解決するための手段】
【０００６】
前記課題を解決するために、本発明の一態様に係る屋根構造は、傾斜した上側屋根パネルと、前記上側屋根パネルの斜め下方に位置し、前記上側屋根パネルに接合される傾斜した下側屋根パネルとを備える。
【０００７】
前記上側屋根パネルは、パネル状に成形された上側コンクリート部と、前記上側コンクリート部に埋められた上側の鉄筋構造とを備えた、鉄筋コンクリートパネルである。前記上側コンクリート部は、前記上側の鉄筋構造の一部が斜め下方にむけて突出する下端面を備える。
【０００８】
前記下側屋根パネルは、パネル状に成形された下側コンクリート部と、前記下側コンクリート部に埋められた下側の鉄筋構造とを備えた、鉄筋コンクリートパネルである。前記下側コンクリート部は、前記下側の鉄筋構造の一部が斜め上方にむけて突出する上端面を備える。
【０００９】
前記下側屋根パネルの前記上端面は、前記上側屋根パネルの前記下端面の一部領域に当たる当接面を含む。
【００１０】
前記当接面は、屋外側の端部と、前記屋外側の端部よりも高く位置する頂部を備える。
【発明の効果】
【００１１】
本発明は、強力な風圧で雨が吹き付けられる環境下でも、屋内側に水が浸入することを抑制することのできる屋根構造を、提供することができるという効果を奏する。
【図面の簡単な説明】
【００１２】
【図１】実施形態１の屋根構造を備えた建築物を示す一部破断正面図である。
【図２】図１のＡ部拡大図である。
【図３】実施形態２の屋根構造の要部を示す一部破断正面図である。
【発明を実施するための形態】
【００１３】
（実施形態１）
図１には、実施形態1の屋根構造を備えた建築物９を、概略的に示している。建築物９は、傾斜屋根８を備える。
【００１４】
図２には、図１に示す傾斜屋根８のＡ部を、拡大して示している。図２に示す矢印６１は上方向、矢印６２は下方向、矢印６３は屋内方向、矢印６４は屋外方向を示している。
【００１５】
本実施形態で用いる「屋内側」は、屋内方向６３に寄った側を意味し、「屋外側」は屋外方向６４に寄った側を意味する。
【００１６】
傾斜屋根８は、屋外側の部分ほど下方に位置するように、斜め下方に傾斜している。
【００１７】
傾斜屋根８は、複数の屋根パネルを互いに接合することで、全体として一枚のパネルのように形成されている。前記複数の屋根パネルは、いずれも鉄筋コンクリートパネルである。
【００１８】
前記複数の屋根パネルは、上側屋根パネル１と、これに接合される下側屋根パネル２とを含む。上側屋根パネル１と下側屋根パネル２の間には、モルタル層３が設けられる。下側屋根パネル２は、上側屋根パネル１の斜め下方に位置する。
【００１９】
上側屋根パネル１は、斜め下方に傾斜した鉄筋コンクリートパネルであって、コンクリートを用いてパネル状に成形された上側コンクリート部１１と、上側コンクリート部１１に埋められた上側の鉄筋構造１２とを備える。上側屋根パネル１の表面は、即ち、上側コンクリート部１１の表面である。
【００２０】
上側屋根パネル１の表面は、斜め下方をむく下端面１３を含む。下端面１３は、下側屋根パネル２に近い側の端面である。
【００２１】
上側の鉄筋構造１２の一部１２１は、下端面１３から突出する。上側の鉄筋構造１２の一部１２１は、即ち、上側の鉄筋構造１２のうち下側屋根パネル２にむけて突出する下端部である。
【００２２】
下側屋根パネル２は、斜め下方に傾斜した鉄筋コンクリートパネルである。下側屋根パネル２の傾斜方向は、上側屋根パネル１の傾斜方向と一致する。
【００２３】
下側屋根パネル２は、コンクリートを用いてパネル状に成形された下側コンクリート部２１と、下側コンクリート部２１に埋められた下側の鉄筋構造２２とを備える。下側屋根パネル２の表面は、即ち、下側コンクリート部２１の表面である。
【００２４】
下側屋根パネル２の表面は、斜め上方をむく上端面２３を含む。上端面２３は、上側屋根パネル１に近い側の端面である。下側屋根パネル２の上端面２３と、上側屋根パネル１の下端面１３は、互いに対向する位置にある。
【００２５】
下側の鉄筋構造２２の一部２２１は、上端面２３から突出する。下側の鉄筋構造２２の一部２２１は、即ち、下側の鉄筋構造２２のうち上側屋根パネル１にむけて突出する上端部である。
【００２６】
下側屋根パネル２の上端面２３は、上側屋根パネル１の下端面１３の一部領域１３１に当たる当接面２３１と、当接面２３１よりも屋外側に位置する面２３２を含む。面２３２は、下側の鉄筋構造２２の一部２２１が突出する面である。
【００２７】
当接面２３１を、上端面２３に含まれる第一面と称し、面２３２を、上端面２３に含まれる第二面と称することも可能である。
【００２８】
下側コンクリート部２１の上端部は、上側屋根パネル１に向けて突出した突出部分２１１を備える。突出部分２１１は、上側屋根パネル１が備える上側コンクリート部１１の段部１１２に対して、嵌り込む。突出部分２１１の表面のうち、上側コンクリート部１１に直接的に当たる部分が、当接面２３１である。
【００２９】
当接面２３１は、最も屋外側に位置する屋外側の端部２３１１と、屋外側の端部２３１１よりも高く位置する頂部２３１２と、最も屋内側に位置する屋内側の端部２３１３とを備える。頂部２３１２は、屋外側の端部２３１１と、屋内側の端部２３１３との間に位置する。
【００３０】
当接面２３１は、屋外側の端部２３１１から頂部２３１２に近づくほど高くなり、頂部２３１２から屋内側の端部２３１３に近づくほど低くなる。当接面２３１は、屋外側の端部２３１１と頂部２３１２との間に、防水用の高低差２５を有する。
【００３１】
当接面２３１における頂部２３１２の位置は、屋外側の端部２３１１よりも屋内側の位置であればよい。つまり、屋外側の端部２３１１と屋内側の端部２３１３の間の任意の箇所に、頂部２３２２を設けることが可能である。また、当接面２３１の屋内側の端部２３１３が頂部２３１２であることも有り得る。
【００３２】
下側屋根パネル２の面２３２は、屋外側よりも屋内側が高く位置する水勾配を有する。面２３２は、前記水勾配を二段階で有する。面２３２のうち屋内側の領域の水勾配は、傾斜屋根８の屋内側及び屋外側の表面と同程度の勾配である。面２３２のうち屋外側の領域の水勾配は、１／１００程度の緩やかな勾配である。
【００３３】
上側屋根パネル１の下端面１３の一部領域１３１は、言い換えれば、下側の当接面２３１に当たる上側の当接面である。下端面１３は、一部領域１３１よりも屋外側に位置する領域１３２を、さらに含む。
【００３４】
下端面１３の一部領域１３１を、下端面１３に含まれる第一面と称し、下端面１３の領域１３２を、下端面１３に含まれる第二面と称することも可能である。
【００３５】
上側の鉄筋構造１２の一部１２１は、下端面１３の領域１３２から突出する。
【００３６】
モルタル層３は、上側屋根パネル１の下端面１３の領域１３２と、下側屋根パネル２の面２３２との間に位置する。モルタル層３は、無収縮モルタルを用いて、建設現場で施工される。
【００３７】
上側屋根パネル１から突出する上側の鉄筋構造１２の一部１２１と、下側屋根パネル２から突出する下側の鉄筋構造２２の一部２２１は、モルタル層３に埋められる。モルタル層３を介して、上側屋根パネル１と下側屋根パネル２は接合される。
【００３８】
本実施形態の屋根構造においては、モルタル層３の存在によって、上側屋根パネル１と下側屋根パネル２の接合部分を通じて屋内側に水が浸入することが、抑えられる。
【００３９】
加えて、本実施形態の屋根構造においては、モルタル層３よりも屋内側に位置する当接面２３１が、高低差２５を有する。高低差２５の存在によって、仮に、モルタル層３の屋内側にまで水が浸入しても、この水が、上側屋根パネル１と下側屋根パネル２の接合部分を通じてさらに屋内側に浸入することが、抑えられる。
【００４０】
加えて、本実施形態の屋根構造において、下側屋根パネル２の上端面２３のうち、当接面２３１よりも屋外側に位置する面２３２には、屋外側ほど高さが低くなる水勾配を設けている。該水勾配の存在によって、モルタル層３と下側屋根パネル２との隙間を伝って水が浸入することを抑えることができる。また、仮に水が浸入しても、該水が屋外側に排出されやすくなる。
【００４１】
そのため、本実施形態の屋根構造においては、強力な風雨に晒される環境下（例えば、強力な台風に襲われる環境下）であっても、水が屋内側に浸入することが抑制される。
【００４２】
（実施形態２）
図３には、本実施形態の実施形態２の屋根構造の要部を示している。本実施形態の屋根構造は、実施形態１で示した傾斜屋根８と同様の傾斜屋根８ａに、適用され得る。
【００４３】
図３に示す矢印６１ａは上方向、矢印６２ａは下方向、矢印６３ａは屋内方向、矢印６４ａは屋外方向を示している。本実施形態で用いる「屋内側」は、屋内方向６３ａに寄った側を意味し、「屋外側」は屋外方向６４ａに寄った側を意味する。
【００４４】
傾斜屋根８ａは、屋外側の部分ほど下方に位置するように、斜め下方に傾斜している。
【００４５】
傾斜屋根８ａは、複数の屋根パネルを互いに接合することで、一枚のパネルのように形成されている。前記複数の屋根パネルは、上側屋根パネル１ａと、これに接合される下側屋根パネル２ａとを含む。上側屋根パネル１ａと下側屋根パネル２ａの間には、モルタル層３ａが設けられる。下側屋根パネル２ａは、上側屋根パネル１ａの斜め下方に位置する。
【００４６】
上側屋根パネル１ａは、斜め下方に傾斜した鉄筋コンクリートパネルであって、コンクリートを用いてパネル状に成形された上側コンクリート部１１ａと、上側コンクリート部１１ａに埋められた上側の鉄筋構造１２ａとを備える。上側屋根パネル１ａの表面は、即ち、上側コンクリート部１１ａの表面である。
【００４７】
上側屋根パネル１ａの表面は、斜め下方をむく下端面１３ａを含む。下端面１３ａは、下側屋根パネル２ａに近い側の端面である。
【００４８】
上側の鉄筋構造１２ａの一部１２１ａは、下端面１３ａから突出する。上側の鉄筋構造１２ａの一部１２１ａは、即ち、上側の鉄筋構造１２ａのうち下側屋根パネル２ａにむけて突出する下端部である。
【００４９】
下側屋根パネル２ａは、斜め下方に傾斜した鉄筋コンクリートパネルである。下側屋根パネル２ａの傾斜方向は、上側屋根パネル１ａの傾斜方向と一致する。
【００５０】
下側屋根パネル２ａは、コンクリートを用いてパネル状に成形された下側コンクリート部２１ａと、下側コンクリート部２１ａに埋められた下側の鉄筋構造２２ａとを備える。下側屋根パネル２ａの表面は、即ち、下側コンクリート部２１ａの表面である。
【００５１】
下側屋根パネル２ａの表面は、斜め上方をむく上端面２３ａを含む。上端面２３ａは、上側屋根パネル１ａに近い側の端面である。下側屋根パネル２ａの上端面２３ａと、上側屋根パネル１ａの下端面１３ａは、互いに対向する位置にある。
【００５２】
下側屋根パネル２ａの上端面２３ａは、上側屋根パネル１ａの下端面１３ａの一部領域１３１ａに当たる当接面２３１ａと、当接面２３１ａとは別の面２３２ａを含む。面２３２ａは、当接面２３１ａよりも屋内側に位置する。面２３２ａは、下側の鉄筋構造２２ａの一部２２１ａが突出する面である。
【００５３】
当接面２３１ａを、上端面２３ａに含まれる第一面と称し、面２３２ａを、上端面２３ａに含まれる第二面と称することも可能である。
【００５４】
当接面２３１ａは、最も屋外側に位置する屋外側の端部２３１１ａと、最も屋内側に位置する屋内側の端部２３１３ａとを備える。本実施形態では、屋内側の端部２３１３ａが、当接面２３１ａにおいて最も高く位置する。つまり、屋内側の端部２３１３ａが、屋外側の端部２３１３ａよりも高く位置する頂部２３１２ａである。
【００５５】
当接面２３１ａは、屋外側の端部２３１１ａから屋内側の端部２３１３ａ（即ち頂部２３１２ａ）に近づくほど徐々に高くなる。当接面２３１ａは、屋外側の端部２３１１ａと屋内側の端部２３１３ａ（即ち頂部２３１２ａ）との間に、防水用の高低差２５ａを有する。換言すると、当接面２３１ａは、屋外側よりも屋内側が高く位置する水勾配を有する。この水勾配は、１／１００程度である。
【００５６】
本実施形態では、当接面２３１ａの屋内側の端部２３１３ａが頂部２３１２ａであるが、当接面２３１ａの他の箇所が頂部２３１２ａであることも有り得る。つまり、屋外側の端部２３１１ａと屋内側の端部２３１３ａの間の任意の箇所に、頂部２３２２ａが位置し得る。
【００５７】
上側コンクリート部１１ａの下端部は、下側屋根パネル２ａに向けて突出した突出部分１１１ａを備える。突出部分１１１ａの先端面が、下側コンクリート部２１ａに直接的に当たる、下端面１３ａの一部領域１３１ａである。
【００５８】
上側屋根パネル１の下端面１３ａの一部領域１３１ａは、言い換えれば、下側の当接面２３１ａに当たる上側の当接面である。下端面１３ａは、一部領域１３１ａよりも屋内側に位置する領域１３２ａを、さらに含む。下端面１３ａの一部領域１３１ａを、下端面１３ａに含まれる第一面と称し、下端面１３ａの領域１３２ａを、下端面１３ａに含まれる第二面と称することも可能である。
【００５９】
上側の鉄筋構造１２ａの一部１２１ａは、下端面１３ａの領域１３２ａから突出する。
【００６０】
モルタル層３ａは、上側屋根パネル１ａの下端面１３ａの領域１３２ａと、下側屋根パネル２ａの面２３２ａとの間に位置する。モルタル層３ａは、無収縮モルタルを用いて、建設現場で施工される。
【００６１】
上側屋根パネル１ａから突出する上側の鉄筋構造１２ａの一部１２１ａと、下側屋根パネル２ａから突出する下側の鉄筋構造２２ａの一部２２１ａは、モルタル層３ａに埋められる。モルタル層３ａを介して、上側屋根パネル１ａと下側屋根パネル２ａは接合される。
【００６２】
本実施形態の屋根構造においては、下側屋根パネル２ａの当接面２３１ａが、高低差２５ａを有する。高低差２５ａの存在によって、上側屋根パネル１ａと下側屋根パネル２ａの接合部分を通じて水が屋内側に浸入することが、抑えられる。
【００６３】
加えて、本実施形態の屋根構造においては、当接面２３１ａよりも屋内側に、モルタル層３ａを成形している。そのため、仮に、当接面２３１ａよりも屋内側に水が浸入しても、モルタル層３ａの存在によって、さらに屋内側に水が浸入することは抑えられる。
【００６４】
したがって、本実施形態の屋根構造においては、強力な風雨に晒される環境下（例えば、強力な台風に襲われる環境下）であっても、水が屋内側に浸入することが抑制される。
【００６５】
以上述べた実施形態から明らかなように、本発明に係る第１の形態の屋根構造は、傾斜した上側屋根パネル（１，１ａ）と、上側屋根パネル（１，１ａ）の斜め下方に位置し、上側屋根パネル（１，１ａ）に接合される傾斜した下側屋根パネル（２，２ａ）とを備える。
【００６６】
上側屋根パネル（１，１ａ）は、パネル状に成形された上側コンクリート部（１１，１１ａ）と、上側コンクリート部（１１，１１ａ）に埋められた上側の鉄筋構造（１２，１２ａ）とを備えた鉄筋コンクリートパネルである。上側コンクリート部（１１，１１ａ）は、上側の鉄筋構造（１２，１２ａ）の一部（１２１，１２１ａ）が斜め下方にむけて突出する下端面（１３，１３ａ）を備える。
【００６７】
下側屋根パネル（２，２ａ）は、パネル状に成形された下側コンクリート部（２１，２１ａ）と、下側コンクリート部（２１，２１ａ）に埋められた下側の鉄筋構造（２２，２２ａ）とを備えた鉄筋コンクリートパネルである。下側コンクリート部（２１，２１ａ）は、下側の鉄筋構造（２２，２２ａ）の一部（２２１，２２１ａ）が斜め上方にむけて突出する上端面（２３，２３ａ）を備える。
【００６８】
下側屋根パネル（２，２ａ）の上端面（２３，２３ａ）は、上側屋根パネル（１，１ａ）の下端面（１３，１３ａ）の一部領域（１３１，１３１ａ）に当たる当接面（２３１，２３１ａ）を含む。当接面（２３１，２３１ａ）は、屋外側の端部（２３１１，２３１１ａ）と、屋外側の端部（２３１１，２３１１ａ）よりも高く位置する頂部（２３１２，２３１２ａ）を含む。
【００６９】
第１の形態によれば、上側屋根パネル（１，１ａ）と下側屋根パネル（２，２ａ）の接合部分を通じて、屋内側に水が浸入するためには、該水が、屋外側の端部（２３１１，２３１１ａ）よりも高く位置する頂部（２３１２，２３１２ａ）を、乗り越える必要がある。つまり、屋外側の端部（２３１１，２３１１ａ）と頂部（２３１２，２３１２ａ）の間の高低差（２５，２５ａ）が、水の浸入を妨げるように機能する。そのため、第１の形態によれば、強力な風雨に晒される環境下であっても、屋内側に水が浸入することが、抑制される。
【００７０】
本発明に係る第２の形態の屋根構造では、第１の形態において、上側屋根パネル（１，１ａ）の下端面（１３，１３ａ）と、下側屋根パネル（２，２ａ）の上端面（２３，２３ａ）との間に充填されるモルタル層（３，３ａ）を、さらに備える。上側の鉄筋構造（１２，１２ａ）の一部（１２１，１２１ａ）と、下側の鉄筋構造（２２，２２ａ）の一部（２２１，２２１ａ）は、モルタル層（３，３ａ）に埋まっている。
【００７１】
第２の形態によれば、上側屋根パネル（１，１ａ）と下側屋根パネル（２，２ａ）の接合部分に、さらにモルタル層（３，３ａ）が介在することで、強力な風雨に晒される環境下であっても、屋内側に水が浸入することが、さらに抑制される。
【００７２】
本発明に係る第３の形態の屋根構造では、第２の形態において、モルタル層（３）は、下側屋根パネル（２）の当接面（２３）よりも屋外側に位置する。
【００７３】
第３の形態によれば、頂部（２３１２）を備える当接面（２３）よりも屋外側に、さらにモルタル層（３）が介在することで、強力な風雨に晒される環境下であっても、屋内側に水が浸入することが、さらに抑制される。
【００７４】
本発明に係る第４の形態の屋根構造では、第３の形態において、下側屋根パネル（２）の上端面（２３）は、当接面（２３１）よりも屋外側の部分に、屋外側ほど高さが低くなる水勾配を有する。
【００７５】
第４の形態によれば、頂部（２３１２）を備える当接面（２３１）よりも屋外側に、上端面（２３）の前記水勾配が存在することで、強力な風雨に晒される環境下であっても、屋内側に水が浸入することが、さらに抑制される。
【００７６】
本発明に係る第５の形態の屋根構造では、第２の形態において、モルタル層（３ａ）は、下側屋根パネル（２ａ）の当接面（２３１ａ）よりも屋内側に位置する。
【００７７】
第５の形態によれば、頂部（２３１２ａ）を備える当接面（２３１ａ）よりも屋内側に、さらにモルタル層（３ａ）が介在することで、強力な風雨に晒される環境下であっても、屋内側に水が浸入することが、さらに抑制される。
【００７８】
以上、実施形態について説明したが、本発明は前記した各実施形態に限定されない。本発明の意図する範囲内であれば、各実施形態において適宜の設計変更を行うことや、各実施形態の構成を適宜組み合わせて適用することが可能である。
【符号の説明】
【００７９】
１，１ａ    上側屋根パネル
１１，１１ａ    上側コンクリート部
１２，１２ａ    上側の鉄筋構造
１２１，１２１ａ    上側の鉄筋構造の一部
１３，１３ａ    下端面
１３１，１３１ａ    一部領域
２，２ａ    下側屋根パネル
２１，２１ａ    下側コンクリート部
２２，２２ａ    下側の鉄筋構造
２２１，２２１ａ    下側の鉄筋構造の一部
２３，２３ａ    上端面
２３１，２３１ａ    当接面
２３１１，２３１１ａ    屋外側の端部
２３１２，２３１２ａ    頂部
２５，２５ａ    高低差
３，３ａ    モルタル層
８，８ａ    傾斜屋根
【図１】
2016141954.tif 000003
【図２】
2016141954.tif 000004
【図３】
2016141954.tif 000005